(57)【要約】      （修正有）【課題】衣服を人体型に着せた後の釦掛け作業を省略できるようにしてクリーニング作業の能率の向上を図り、また身頃を緊張する際に衣服が上方に引きずられることを防止できるよう形成した、衣服仕上げ機の鏝用カバーを提供する。【解決手段】本考案は、衣服１を着せる人体型２と、この人体型２に着せられている衣服１の裾を人体型２に押し付けて固定する鏝３とを備えて形成されている衣服仕上げ機４の上記の鏝３に使用するカバーである。上記の衣服１と接触する部分の全体を、スポンジ状の面状材５で形成する。【選択図】図１
0003214885.tif 000002
【実用新案登録請求の範囲】
【請求項１】
衣服を着せる人体型と、この人体型に着せられている衣服の裾を人体型に押し付けて固定する鏝とを備えて形成されている衣服仕上げ機の上記の鏝に使用するカバーであって、上記の衣服と接触する部分の全体が、スポンジ状の面状材で形成されていることを特徴とする衣服仕上げ機の鏝用カバー。
【請求項２】
請求項１記載の衣服仕上げ機の鏝用カバーであって、スポンジ状の面状材の背面に、ネット状の面状材が重合されて周囲が縫い合わされると共に、紐通し用の袋状部材がスポンジ状の面状材の前面の周囲にぐるっと縫い付けられ、この袋状部材に鏝に取り付けるための紐が通されていることを特徴とする衣服仕上げ機の鏝用カバー。
【考案の詳細な説明】
【技術分野】
【０００１】
本考案は、衣服仕上げ機の鏝用カバーに関し、更に詳しくは人体型に着せた衣服の裾を押える鏝に使用するカバーに関するものである。
【背景技術】
【０００２】
従来、この種のカバーとしては、例えば特許文献１に記載されているように、耐熱性及び通気性を有するシート材でウレタンゴムを挟み、表面を布帛で被覆しているものがある。
【０００３】
ところで、背広の上着等の衣服を人体型に着せた状態で仕上げる衣服仕上げ機は、前後の鏝で衣服の裾を押え、次に衣服の両側を左右一対の脇張りで外側方に張り、その後、人体型の下方から熱風や蒸気を衣服の内部に供給して仕上げるのが通例である。
【０００４】
従って、従来、この種の仕上げ機の場合は、衣服の前身頃が脇張りの作用で左右に肌蹴ることがないよう、作業者は人体型に衣服を着せた後、前釦を掛け止めることを行っていた。
その結果、従来は、この種の作業に手間暇がかかったから、その分、クリーニング作業の能率が低下するのを避けられなかった。
【０００５】
またこの種の仕上げ機は、人体型に衣服を着せた後、衣服の裾を前後の鏝で固定した後、身頃の皺を取るため、人体型を少し上昇させて衣服を緊張することがある。
【０００６】
この場合、特許文献１に記載の従来品は、上記の通り、表面が平滑な布帛で覆われていたから、カバーと衣服との接触摩擦が小さく、裾が上方に引きずられ易かった。従って、この従来品を使用すると、前後の鏝で裾をしっかりと固定できず、衣服の身頃を確実に緊張できない、という問題点があった。
【０００７】
而して、この種の問題を解消するため、例えば前後の鏝のプレス圧を高めて衣服を強く固定すると、釦を壊したり、また上方への引きずりを防止できても、鏝痕が衣服に付き易くなる、という新たな問題が生じることになる。
【先行技術文献】
【特許文献】
【０００８】
【特許文献１】特開平１１−４７５００号公報
【考案の概要】
【考案が解決しようとする課題】
【０００９】
本考案は、このような従来技術の問題点に鑑み、提案されたものである。
従って、本考案の解決しようとする技術的課題は、衣服を人体型に着せた後の釦掛け作業を省略できるようにしてクリーニング作業の能率の向上を図り、また身頃を緊張する際に衣服が上方に引きずられることを確実に防止できるよう形成した、衣服仕上げ機の鏝用カバーを提供することにある。
【課題を解決するための手段】
【００１０】
本考案は、上記の課題を解決するため、次のような技術的手段を採る。
即ち、本考案のカバーは、図１等に示されるように、衣服１を着せる人体型２と、この人体型２に着せられている衣服１の裾を人体型２に押し付けて固定する鏝３、１０とを備えて形成されている衣服仕上げ機４の上記の鏝３、１０に使用するカバーであって、上記の衣服１と接触する部分の全体が、スポンジ状の面状材５で形成されていることを特徴とする（請求項１）。  
【００１１】
ここで、スポンジ状の面状材５とは、多孔質でクッション性を有するマット状、シート状の材質を意味する。具体的には、ポリウレタン等の合成樹脂を発泡成形して作るスポンジや、ゴムに発泡剤、軟化剤などを練り込み加硫して作るゴムスポンジ（スポンジゴム）などがある。この場合、面状材の摩擦力は、衣服１の生地の種類等に合わせ、適宜選定されるので良い。
【００１２】
また本考案は、スポンジ状の面状材５の背面に、ネット状の面状材６が重合されて周囲が縫い合わされると共に、紐通し用の袋状部材７がスポンジ状の面状材５の前面の周囲にぐるっと縫い付けられ、この袋状部材７に鏝３、１０に取り付けるための紐８が通されているのが好ましい（請求項２）。
【００１３】
なぜなら、これによると、人体型２内に供給される蒸気や熱風が衣服１を押圧している鏝３、１０の箇所でも放出され、衣服１の乾燥仕上げに支障を来たすことがないからである。またこれによると、図６に示されるように、鏝３の周縁を包み込むように鏝３に被せて装着でき、交換作業も容易になるからである。
【考案の効果】
【００１４】
本考案のカバーは、このように衣服を着せる人体型と、この人体型に着せられている衣服の裾を人体型に押し付けて固定する鏝とを備えて形成されている衣服仕上げ機の上記の鏝に使用するカバーであって、上記の衣服と接触する部分の全体が、スポンジ状の面状材で形成されているものである。
【００１５】
従って、本考案は、衣服との接触摩擦が大きくなるから、衣服の裾をしっかりと固定できる。
それ故、左右一対の脇張りが外側に移動して衣服の両側を緊張しても、前身頃が左右に肌蹴けることを防止できるから、これによれば、前釦を掛け止める作業を省略でき、その分、衣服を能率良く仕上げることができる。
【００１６】
また本考案は、上記の通り、衣服の裾をしっかりと固定できるから、身頃を緊張するため人体型が上昇しても、衣服が上方に引きずられることを防止できる。従って、これによれば、身頃を確実に緊張できる。
【図面の簡単な説明】
【００１７】
【図１】Ａは本考案のカバーが装着される鏝を備えた衣服仕上げ機の要部正面図、Ｂは要部側面図である。
【図２】衣服仕上げ機の正面図である。
【図３】衣服仕上げ機の要部斜視図である。
【図４】同上カバーの正面図である。
【図５】図４のＶ−Ｖ線における一部を切欠した要部断面図である。
【図６】同上カバーの装着状態を示す一部を切欠した要部断面図である。
【考案を実施するための形態】
【００１８】
以下、本考案の好適な一実施形態を、添付図面に従って説明する。
１は、背広の上着等の衣服であり、２は、この衣服１を着せる人体型である。また３は、この人体型２に着せられている衣服１の前裾を人体型２に押し付けて固定する前側の鏝である。本考案品は、この前側の鏝３や後側の鏝１０に使用されるものである。なお、４は、人体型２等を備えて形成されている衣服仕上げ機を示す。
【００１９】
而して、本考案のカバーは、衣服１と接触する部分の全体が、スポンジ状の面状材５で形成されている。スポンジ状の面状材５は、この実施形態では多孔質でクッション性を有するマット状のスポンジで形成されている。このスポンジ状の面状材５は、具体的にはポリウレタンが発泡成形されることにより形成され、耐熱性を有している。
【００２０】
またこの実施形態の本考案は、スポンジ状の面状材５の背面に、ネット状の面状材６（図５等参照）が重合されて周囲が縫い合わされている。ネット状の面状材６は、この実施形態では耐熱性の合成繊維で網目が六角形を呈するように編まれて形成されている。
【００２１】
そして本考案は、スポンジ状の面状材５の前面の周囲に、紐通し用の袋状部材７がぐるっと縫い付けられている。またこの袋状部材７に、鏝３に取り付けるための紐８が通されている。
【００２２】
なお、９（図１Ａ、図２等参照）は、衣服１の身頃の両側を側方に緊張するための左右一対の脇張りである。また人体型２の前後の下部には、図３等に示されるように、前側の鏝３と、後側の鏝１０が押し付けられる前後一対のパッド１１が起立状に設けられている。衣服仕上げ機４は、人体型２等と共に、これらの各部材を備えて形成されている。
【００２３】
次に、この実施形態に係る本考案品の使用例を説明する。
作業者は、本考案品を、図５に示されるように、例えば前側の鏝３の周縁を覆うように鏝３に被せ、鏝３の背面側で紐８を締め、鏝３に装着する（図６参照）。
【００２４】
前側の鏝３が、傾倒して前側のパッド１１に押し付けられると、本考案品はスポンジ状の面状材５が衣服１の裾に接触して裾を押圧する。この場合、スポンジ状の面状材５は、単なる布帛とは異なり、多孔質であるため衣服１との接触摩擦が大きく、衣服１の前裾をしっかり押えて固定する。
【００２５】
従って、本考案のカバーによれば、左右一対の脇張り９が外側方に移動して衣服１の両側を緊張しても、前身頃が左右に肌蹴ることがない。それ故、これによれば、人体型２に衣服１を着せた後の、前釦１ａ（図１Ｂ参照）を掛け止める作業を省略でき、その分、衣服１の仕上げ作業にかかる手間暇を軽減でき、衣服１を能率良く仕上げることができる。
【００２６】
また本考案品が、前側の鏝３と共に、後側の鏝１０にも使用されると、衣服１の前後の裾をしっかりと固定できる。従って、この場合は、人体型２が上昇しても、衣服１が上方に引きずられることがなく、それ故、衣服１の身頃を確実に緊張できる。
なお、本考案の場合、スポンジ状の面状材５の摩擦力は、衣服１の生地の違いなどに応じて適宜選定されるので良い。
【符号の説明】
【００２７】
１      衣服
２      人体型
３      前側の鏝
４      衣服仕上げ機
５      スポンジ状の面状材
【図１】
0003214885.tif 000003
【図２】
0003214885.tif 000004
【図３】
0003214885.tif 000005
【図４】
0003214885.tif 000006
【図５】
0003214885.tif 000007
【図６】
0003214885.tif 000008